(57)【要約】      （修正有）【課題】調光OFF信号が入力されて電力変換回路の動作停止後に再び調光ON信号は入力された場合でもオーバーシュート現象が発生することなく、所望の調光レベルで点灯することが可能な電源装置を提供する。【解決手段】電源装置10は、入力電力を所定の出力電力に変換して負荷としてのＬＥＤ素子12に出力する電力変換回路16と、電力変換回路16の出力電力を検出して電力変換回路16のフィードバック制御を行うとともに調光器から出力された調光信号に基づいてＬＥＤ素子12を調光動作させる調光制御を行う制御回路21とが設けられ、調光OFF信号が入力された場合に電力変換回路16の動作を継続しつつＬＥＤ素子12が消灯する電力を電力変換回路16が出力する。再び調光ON信号は入力された場合でも制御回路21のフィードバック制御における目標値と出力検出値との差異が所定範囲内で安定的な制御が維持される。【選択図】図１
2015069791.tif 000002
【特許請求の範囲】
【請求項１】
入力電力を所定の出力電力に変換して負荷に出力する電力変換回路と；
電力変換回路の出力電力を検出して電力変換回路のフィードバック制御を行うとともに調光器から出力された調光信号に基づいて負荷を調光動作させる調光制御を行う制御回路と；
を具備しており、調光OFF信号が入力された場合に電力変換回路の動作を継続しつつ負荷が消灯する電力を電力変換回路が出力することを特徴とする電源装置。
【請求項２】
調光器から出力された調光信号を入力して調光信号に基づく調光制御信号を制御回路に出力する調光制御回路を有しており、調光制御回路は、調光OFF信号が入力された場合に電力変換回路の動作を継続しつつ負荷が消灯する電力を電力変換回路が負荷に対して出力するような調光制御信号を制御回路に出力することを特徴とする請求項１記載の電源装置。
【請求項３】
負荷はＬＥＤから構成されており、この負荷と並列に電解コンデンサが接続されていることを特徴とする請求項１または２記載の電源装置。
【請求項４】
調光OFF信号が入力された場合に負荷はフェードアウト動作を行い、調光OFF信号が解除された場合には負荷はフェードイン動作を行うように電力変換回路が制御されることを特徴とする請求項１ないし３いずれか一記載の電源装置。
【発明の詳細な説明】
【技術分野】
【０００１】
本発明の実施形態は、負荷に電力供給する電源装置に関する。
【背景技術】
【０００２】
従来、例えばＬＥＤ素子を負荷とする電源装置は、交流電源を整流回路で整流し、整流した電源電圧を電力変換回路で所定の直流電圧に変換してＬＥＤ素子に供給し、ＬＥＤ素子を点灯させている。電力変換回路には、ＬＥＤ素子が安定的に点灯するために電力変換回路の出力を検出して目標値と比較し、比較結果に基づいて検出値を目標値に近づけるフィードバック制御が採用されることが多い。
【０００３】
一方、ＬＥＤ素子を調光動作させる場合には、調光器から出力される調光信号を受信する調光制御回路が電力変換回路の制御回路に調光制御信号を出力することによって調光信号に応じた調光動作が可能となる。
【０００４】
調光制御は、ＬＥＤ素子が消灯（0%点灯）から100%点灯まで連続的または段階的に調光動作するように電力変換回路の出力が制御されるものである。調光信号としての調光OFF信号が入力されるとように電力変換回路が制御される。
【先行技術文献】
【特許文献】
【０００５】
【特許文献１】特開２０１３−９８００７号公報
【発明の概要】
【発明が解決しようとする課題】
【０００６】
調光制御回路に調光OFF信号が入力されるとＬＥＤ素子を消灯させるために電力変換回路の動作が停止するように調光制御信号が制御回路に出力され、制御回路への電力供給が遮断されて電力変換回路の動作が停止する。
【０００７】
この電力変換回路の動作停止後に再び調光ON信号（例えば50%点灯）が入力された場合、調光ON信号に基づく調光レベルを超えてＬＥＤ素子が間的に明るく点灯するオーバーシュート現象が発生することがある。これは、制御回路への電力供給が再開され、制御回路が起動してフィードバック制御が開始されたときの目標値と出力検出値との差異が大きいために電力変換回路から過剰電流が出力されてしまうことが要因として挙げられる。
【０００８】
本発明が解決しようとする課題は、調光OFF信号が入力されて電力変換回路の動作停止後に再び調光ON信号は入力された場合でもオーバーシュート現象が発生することなく、所望の調光レベルで点灯することが可能な電源装置を提供することである。
【課題を解決するための手段】
【０００９】
実施形態の電源装置には、入力電力を所定の出力電力に変換して負荷に出力する電力変換回路と；電力変換回路の出力電力を検出して電力変換回路のフィードバック制御を行うとともに調光器から出力された調光信号に基づいて負荷を調光動作させる調光制御を行う制御回路と；が設けられ、調光OFF信号が入力された場合に電力変換回路の動作を継続しつつ負荷が消灯する電力を電力変換回路が出力する。
【発明の効果】
【００１０】
本実施形態によれば、調光OFF信号が入力された場合に電力変換回路の動作を継続しつつ負荷が消灯する電力を電力変換回路が出力するので、再び調光ON信号は入力された場合でも制御回路のフィードバック制御における目標値と出力検出値との差異が所定範囲内で安定的な制御が維持され、速やかに調光信号に基づく調光動作を行うことが可能となる。
【図面の簡単な説明】
【００１１】
【図１】一実施形態を示す電源装置の回路図である。
【図２】同上電源回路の始動時動作を示すタイミングチャートである。
【図３】同上電源回路の調光信号の入力と負荷出力を示すタイミングチャートである。
【発明を実施するための形態】
【００１２】
以下、一実施形態を、図１を参照して説明する。
【００１３】
電源装置10は、負荷11として直列に接続された複数のＬＥＤ素子12を点灯させるものである。電源装置10は、交流電源Ｅが入力される電源入力部13、電源入力部13に接続されたフィルタ回路14、フィルタ回路14に接続されて交流電源Ｅを整流する整流回路15、整流回路15で整流された電源電圧をＬＥＤ素子12を点灯させる所定の出力電力に変換する主回路としての電力変換回路16、およびこの電力変換回路16の出力部であってＬＥＤ素子12が接続される出力部17を備えている。
【００１４】
さらに、電源装置10は、制御用の電源を供給する電源回路18、調光信号を入力する調光信号入力部19、調光信号を処理する調光制御回路としての第１の制御回路20、電力変換回路16を制御する制御回路としての第２の制御回路21、第２の制御回路21の動作と停止を制御する動作制御回路22、および第１の制御回路20の制御によって第２の制御回路21を調光動作させる調光動作回路23を備えている。
【００１５】
そして、電源入力部13は、例えば１００Ｖ〜２４２Ｖの範囲の交流電源Ｅの入力を許容する。
【００１６】
また、フィルタ回路14は、電源入力部13にヒューズF1を介してコンデンサC1およびトランスT1が接続されている。
【００１７】
また、整流回路15は、全波整流器DB1が用いられている。全波整流器DB1の出力端には、コンデンサC10が並列に接続されている。
【００１８】
また、電力変換回路16は、降圧チョッパ回路であり、全波整流器DB1の出力端に、インダクタL1を介して、スイッチング素子としてのＭＯＳＦＥＴである電界効果トランジスタQ1、抵抗R28、インダクタL5、および出力部17のＬＥＤ素子12が接続されている。出力部17には抵抗R22および電解コンデンサC9が並列に接続されている。
【００１９】
電界効果トランジスタQ1のソースとインダクタL5との間にダイオードD6のカソードが接続され、ＬＥＤ素子12および電解コンデンサC9のグランド電位側にダイオードD6のアノードが接続されている。ダイオードD6は、電界効果トランジスタQ1がオフしているときにインダクタL5に蓄えられたエネルギをＬＥＤ素子12および電解コンデンサC9を介して放出する作用を有する。
【００２０】
また、電源回路18は、全波整流器DB1の高電位側の出力端にインダクタL1を介してコンデンサC21が接続され、コンデンサC21のグランド電位側が第１の制御回路20に接続されている。インダクタL1には制御部IC2の端子D1が接続され、制御部IC2の端子D2がトランスT3の一次巻線T31を介して第１の制御回路20に接続されている。一次巻線T31の両端にダイオードD3のカソードと電解コンデンサC11の一端が接続されている。ダイオードD3のアノードと電解コンデンサC11の他端は、コンデンサC21と全波整流器DB1のグランド電位側との間に接続されている。
【００２１】
制御部IC2の端子D4と端子D3との間に、コンデンサC12と電解コンデンサC13および抵抗R26の直列回路とが並列に接続されているとともに、電解コンデンサC13にダイオードD7のカソードが接続され、ダイオードD7のアノードにツェナーダイオードZD1のアノードが接続され、ツェナーダイオードZD1のカソードが電解コンデンサC11に接続されている。
【００２２】
そして、制御部IC2は、例えばＩＰＤ（インテリジェント・パワー・デバイス）であり、内部にスイッチング素子を備えており、このスイッチング素子のスイッチング動作により制御部IC2に入力された電源電圧を所定の第１の制御用電源に変換し、電力変換回路16のグランド電位と共通とする第１の制御用電源がトランスT3の一次巻線T31を通じて第１の制御回路20に供給される。
【００２３】
トランスT3の一次巻線T31に対して絶縁されるとともに磁気的に結合された二次巻線T32には、一次巻線T31に第１の制御用電源が流れることによって第２の制御用電源が誘起され、電力変換回路16のグランド電位とは異なる任意のグランド電位を有する第２の制御用電源が動作制御回路22を通じて第２の制御回路21に供給される。
【００２４】
また、調光信号入力部19には、外部に設置される調光器から調光信号が入力される。
【００２５】
調光制御回路として第１の制御回路20は、マイコン31を備え、電源回路18から電力変換回路16のグランド電位と共通の第１の制御用電源が供給されて動作する。マイコン31は、調光器からの調光信号に応じて処理するもので、例えば調光信号に応じたＰＷＭ調光制御信号などの調光制御信号を形成して動作制御回路22に出力する他、調光動作回路23に出力して第２の制御回路21の調光動作を制御する。
【００２６】
また、第２の制御回路21は、制御部IC1を有し、この制御部IC1のVCC端子に電源回路18から電力変換回路16のグランド電位とは異なる任意のグランド電位を有する第２の制御用電源が動作制御回路22を通じて供給される。GND端子は電界効果トランジスタQ1側のインダクタL5の一端に接続され、電力変換回路16の中点電位をグランドとしている。VCC出力端子A1とGND端子A2との間にはコンデンサC17，C22が並列に接続されている。
【００２７】
制御部IC1の端子A3は、抵抗R4，R7を介して、ダイオードD6のカソードとインダクタL5との間に接続され、電力変換回路16の出力電流に応じた検出電圧が入力される。
【００２８】
制御部IC1の端子A4は、コンデンサC19を介して後述する抵抗28とインダクタL5の接続点に接続されている。
【００２９】
制御部IC1のVCC出力端子A1とGND端子A2との間にコンデンサC20が接続され、端子A5と調光動作回路23との間に抵抗R2が接続され、端子A6とGND端子A2との間にコンデンサC18が接続されている。
【００３０】
制御部IC1の端子A7が、抵抗R8を介して電界効果トランジスタQ1のゲートに接続されている。
【００３１】
そして、制御部IC1は、内部にオペアンプを備え、オペアンプの一方の入力端子に目標値となる所定の基準電圧が入力され、他方の入力端子に端子A3から電力変換回路16の出力電流に応じた出力検出値としての検出電圧が入力され、基準電圧と検出電圧と差に応じた電流を端子A4から出力し、端子A3に入力される検出電圧が一定になるように電界効果トランジスタQ1のオンオフをフィードバック制御する。すなわち、端子A3はオペアンプの入力端子、端子A4がオペアンプの出力端子である。
【００３２】
また、動作制御回路22では、電源回路18のトランスT3の二次巻線T32の一端がダイオードD1、抵抗R12を介して制御部IC1のVCC出力端子A1に接続され、二次巻線T32の他端が制御部IC1のGND端子A2に接続されている。二次巻線T32の両端間にはコンデンサC14が接続されている。トランジスタQ101のエミッタ、ベース間に抵抗R102が接続されている。トランジスタQ101のベースには抵抗R103、動作制御用絶縁伝達素子としてのフォトカプラPC103のフォトトランジスタを介して制御部IC1のGND端子A2に接続されている。
【００３３】
電源回路18の第１の制御用電源を供給するトランスT3の一次巻線T31側と電力変換回路16のグランド電位との間に、抵抗R108、フォトカプラPC103のフォトダイオード、トランジスタQ102のコレクタ、エミッタの直列回路が接続され、フォトカプラPC103のフォトダイオードが接続されている。トランジスタQ102のベースが第１の制御回路20のマイコン31から動作・停止信号を出力する端子に接続されている。
【００３４】
そして、マイコン31からの動作・停止信号に応じてトランジスタQ102がオンオフするとともに、フォトカプラPC103がオンオフする。フォトカプラPC103のオフ時にはトランジスタQ102がオフして電源回路18からの第２の制御用電源が第２の制御回路21に供給され、フォトカプラPC103のオン時にはトランジスタQ102がオンして第２の制御回路21への第２の制御用電源の供給が停止される。
【００３５】
また、調光動作回路23は、調光用絶縁伝達素子としてのフォトカプラPC102を備え、このフォトカプラPC102のフォトダイオードが第１の制御回路20のマイコン31から調光信号を出力する端子と電力変換回路16のグランド電位との間に接続されている。フォトカプラPC102のフォトダイオードと並列にコンデンサC101、抵抗R106が接続されている。
【００３６】
フォトカプラPC102のフォトトランジスタのコレクタ、エミッタと並列に抵抗R6が接続され、抵抗R6の一端が抵抗R2を介して制御部IC1の端子A5に接続され、他端が第２の制御回路21の抵抗R4と抵抗R7との間に接続されている。
【００３７】
次に、電源装置10の動作を説明する。
【００３８】
入力される交流電源Ｅを全波整流器DB1で整流し、整流した電源電圧を電源回路18および電力変換回路16に供給する。
【００３９】
電源電圧が供給された電源回路18の制御部IC2が動作を開始すると、制御部IC2のスイッチング素子がスイッチング動作し、電力変換回路16のグランド電位と共通とする第１の制御用電源を作り、トランスT3の一次巻線T31を通じて第１の制御回路20に供給する。また、トランジスタT3の一次巻線T31に対して絶縁されるとともに磁気的に結合された二次巻線T32に第１の制御用電源が流れることによって第２の制御用電源が誘起し、電力変換回路16のグランド電位とは異なる任意のグランド電位を有する第２の制御用電源を動作制御回路22に供給する。
【００４０】
第１の制御用電源が供給された第１の制御回路20が動作を開始すると、マイコン31からの動作信号により動作制御回路22のフォトカプラPC103がオフし、動作制御回路22のトランジスタQ101がオフし、第２の制御用電源が動作制御回路22を通じて第２の制御回路21に供給される。
【００４１】
第２の制御用電源が供給された第２の制御回路21が動作を開始すると、制御部IC2が電力変換回路16の電界効果トランジスタQ1をオンオフさせる。
【００４２】
電界効果トランジスタQ1がオンすると、電界効果トランジスタQ1、抵抗R28およびインダクタL5を経由して電解コンデンサC9に電流が流れる。電解コンデンサC9の充電電圧がＬＥＤ素子12の順方向電圧以上になると、ＬＥＤ素子12に電流が流れ、ＬＥＤ素子12が点灯する。
【００４３】
電界効果トランジスタQ1がオフすると、インダクタL5に蓄えられていたエネルギが電解コンデンサC9、ＬＥＤ素子12、ダイオードD6の閉回路で放出される。このエネルギの放出により流れる電流によって、ＬＥＤ素子12が点灯する。
【００４４】
こうような電界効果トランジスタQ1のオンオフにより、電界効果トランジスタQ1が高周波スイッチング動作し、ＬＥＤ素子12が点灯する。
【００４５】
制御部IC2は、電力変換回路16の出力電流に応じた検出電圧に基づいて、電力変換回路16の出力電流が一定になるように、電界効果トランジスタQ1のオンオフをフィードバック制御する。
【００４６】
また、調光器からの調光信号を入力した第１の制御回路20のマイコン31が調光信号に対応した調光制御信号を調光動作回路23に出力し、この調光制御信号をフォトカプラPC102を介して第２の制御回路21に受け渡す。第２の制御回路21は、受け渡された調光制御信号に応じて電界効果トランジスタQ1のオンオフを制御し、ＬＥＤ素子12を調光する。
【００４７】
また、調光制御においては、調光OFF信号（消灯信号）が入力された場合には、電力変換回路16の動作を継続しつつＬＥＤ素子12への印加電圧が点灯維持できない電圧以下とすることで実質消灯する電圧が印加されるような電力を電力変換回路16が出力する。このような消灯モードの後、再び調光ON信号は入力された場合には、制御回路21のフィードバック制御における目標値と出力検出値との差異が所定範囲内で安定的な制御が維持され、速やかに調光信号に基づく調光動作を行うことが可能となる。
【００４８】
なお、第１の制御回路20は、所定の処理信号の入力や異常検出によって待機モードに移行するように制御してもよい。この待機モードでは、マイコン31から停止信号を動作制御回路22に出力することにより、フォトカプラPC103がオンし、動作制御回路22のトランジスタQ102がオンし、第２の制御回路21への第２の制御用電源の供給を停止させる。そのため、第２の制御用電源の供給が停止された電力変換回路16が停止し、ＬＥＤ素子12が完全に消灯する。
【００４９】
このように、電源装置10では、電源回路18が、整流回路15で整流された電源電圧を電力変換回路16のグランド電位に対して絶縁された第２の制御用電源に変換して第２の制御回路21に供給するため、電力変換回路16のグランド電位とは異なるグランド電位を有していてその電力変換回路16を制御する第２の制御回路21に第２の制御用電源を効率的に供給できる。そのため、１００Ｖ〜２４２Ｖの広い入力電圧の範囲に対応できるとともに高い効率を得ることができる。
【００５０】
また、１つの電源回路18により、整流回路15で整流された電源電圧を第１の制御用電源に変換して第１の制御回路20に供給するとともに、第１の制御用電源を電力変換回路16のグランド電位に対して絶縁された第２の制御用電源に変換して第２の制御回路21に供給することができ、構成を簡素化ができる。
【００５１】
また、電源回路18は、整流回路15で整流された電源電圧を第１の制御用電源に変換するスイッチング素子、および第１の制御用電源を第２の制御用電源に変換するトランスT3を備えるため、入力電圧が高くても電源変換効率を高くできるとともに、電力変換回路16のグランド電位に対して絶縁された第２の制御用電源を第２の制御回路21に供給することができる。
【００５２】
また、動作制御回路22がフォトカプラPC103を用いることにより、異なる電位の第１の制御回路20と第２の制御回路21とを絶縁状態に保ちながら、第１の制御回路20からの動作制御信号を動作制御回路22に伝達することができる。
【００５３】
さらに、フォトカプラPC103は、高温になるほど電流変換率が低下する温度依存性を有するスイッチ素子であるため、電源装置10が異常高温になった場合に第２の制御回路21への電源を遮断して停止させることができ、いわゆるサーマルシャットダウン機能も併せ持つことができる。
【００５４】
また、調光動作回路23がフォトカプラPC102を用いることにより、異なる電位の第１の制御回路20と第２の制御回路21とを絶縁状態に保ちながら、第１の制御回路20から第２の制御回路21に調光制御信号を伝達することができる。
【００５５】
なお、調光用絶縁伝達素子としては、フォトカプラに限らず、例えば磁気的に信号を伝達する素子などを用いてもよい。
【００５６】
また、第２の制御回路21の制御部IC1は、オペアンプの一方の入力端子に所定の基準電圧が入力され、他方の入力端子にFB端子から電力変換回路16の出力電流に応じた検出電圧が入力され、基準電圧と検出電圧との差に応じた電流を端子A4から出力する。しかしながら、全光状態から暗くなるように調光レベルを深くするほど、端子A3に入力する検出電圧が基準電圧に近くなって端子A4から流れる電流が少なくなり、そして、所定の電流値以下になると、制御部IC1が動作しない特性を有している。
【００５７】
このような制御部IC1の特性により、電源装置10の電源投入時において、第１の制御回路20が設定されている調光レベルの調光制御信号を第２の制御回路21へ出力し、第２の制御回路21が設定された調光レベルで始動しようとすると、第２の制御回路21が始動するのに時間がかかり、その結果、ＬＥＤ素子12が点灯するまでに時間がかかる。
【００５８】
そこで、第１の制御回路20は、始動時に全光の調光制御信号を第２の制御回路21へ出力するとともに、始動時から所定の始動時間後に設定されている調光レベルの調光制御信号を第２の制御回路21へ出力する。
【００５９】
すなわち、図２に示すように、電源VDDが投入されると、第１の制御回路20は消灯の調光OFF信号DIMを第２の制御回路21へ出力する。第１の制御回路20の調光制御の特性で、電源VDDの投入から所定時間後t1に第２の制御回路21の制御部IC1の電源VCCが立ち上がり、消灯状態で動作を開始する。電源VDDの投入から所定の始動時間後t2（制御部IC1の電源VCCが立ち上がってからの所定時間後t3）に、第１の制御回路20は設定されている調光レベルの調光制御信号DIMを第２の制御回路21へ出力する。このときまでに、制御部IC1の端子A4からの出力電流が十分に増加しているため、第２の制御回路21の始動時間を早くでき、その結果、ＬＥＤ素子12が点灯するまでに時間を早くできる。
【００６０】
また、第１の制御回路20は、設定されている調光レベルに応じて、電源VDDの投入からの始動時間t2を調整することにより、第２の制御回路21の始動時間を早くできるとともに、始動時の全光で点灯することによる閃光の発生を防止できる。この場合、深い調光レベルほど、始動時間を長く設定すればよい。始動時間は長くても２秒以内である。
【００６１】
図３は、本実施形態の電源装置に調光OFF信号が入力されたときの光出力との関係を示すタイムチャートである。図中、L0はＬＥＤ素子12の光出力レベルを示し、ＶC9はＬＥＤ素子12の両端間に印加される電位（電解コンデンサC9の両端間電圧に相当）を示す。
【００６２】
時間T0において、調光制御信号DIMからは調光ON信号がPWM信号として入力されており、この調光信号に応じたレベルの光出力LOがＬＥＤ素子12から出力されている。このときのＬＥＤ素子12への印加電圧ＶC9はＬＥＤ素子12から調光信号に応じたレベルの光出力が可能な値である。
【００６３】
時間T1において調光OFF信号（デューティ100%のPWM信号）が入力されると、印加電圧ＶC9は徐々に低下するように電力変換回路16が制御され、ＬＥＤ素子12の光出力LOも低下し始める。ＬＥＤ素子12の直列体個々の素子が点灯可能な電圧値の下限値Vftを下回ると、ＬＥＤ素子12は消灯するが、電力変換回路16は動作を継続して、下限値Vftよりも低い電圧値の出力を続ける。図３における期間t3では下限値Vftよりも低い電圧値が電力変換回路16から出力されているので、第２の制御回路のフィードバック制御における目標値と出力検出値との差異が所定範囲内となり、安定的な制御が維持される。すなわち、時間T2で再び調光ON信号が入力された場合でも、第２制御回路21は速やかに調光信号に応じた調光動作へ移行することが可能となる。
【００６４】
時間T2からは印加電圧ＶC9は徐々に上昇するように電力変換回路16が制御され、印加電圧ＶC9が下限値Vftを超えたところでＬＥＤ素子12の光出力LOが上昇を開始する。このように、時間T1において調光OFF信号が入力された場合にＬＥＤ素子12はフェードアウト動作を行い、調光ON信号が入力されて調光OFF信号が解除された場合にはＬＥＤ素子12はフェードイン動作を行う。このようなフェードイン、フェードアウトの処理は、第１の制御回路20のマイコン31にアルゴリズムをセットすることで可能であるが、第２の制御回路21の制御部IC1にタイマーシーケンス回路を付加する実現してもよい。
【００６５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
10    電源装置
11    負荷
12    ＬＥＤ素子
16    電力変換回路
18    電源回路
20    調光制御回路としての第１の制御回路
21    制御回路としての第２の制御回路
22    動作制御回路
PC102   調光用絶縁伝達素子としてのフォトカプラ
PC103   動作制御用絶縁伝達素子としてのフォトカプラ
T3    トランス
【図１】
2015069791.tif 000003
【図２】
2015069791.tif 000004
【図３】
2015069791.tif 000005